(57)【要約】      （修正有）【課題】端子部分の機械的強度を向上したコイルボビン装置及び電磁駆動装置を提供する。【解決手段】コイルボビン装置１０は、端部外周に鍔部１３を有する筒状胴体にコイル１５が巻回されてなる一対のコイルボビン１１と、一対のコイルボビン１１の鍔部１３からそれぞれ凸状に突出する一対の端子部１４とを備える。一対のコイルボビン１１は、互いに一対の端子部１４同士が噛み合うように組み立てられ、一対の端子部１４同士が相互に噛み合う部分の対向する端面が傾斜面１４ａである。【選択図】図１
2016058557.tif 000002
【特許請求の範囲】
【請求項１】
端部外周に鍔部を有する筒状胴体にコイルが巻回されてなる一対のコイルボビンと、
前記一対のコイルボビンの前記鍔部からそれぞれ凸状に突出する一対の端子部とを備え、
前記一対のコイルボビンは、互いに前記一対の端子部同士が噛み合うように組み立てられ、前記一対の端子部同士が相互に噛み合う部分の対向する端面が傾斜面又は段差面であることを特徴とするコイルボビン装置。
【請求項２】
請求項１に記載のコイルボビンを備えたことを特徴とする電磁駆動装置。
【発明の詳細な説明】
【技術分野】
【０００１】
本発明は、例えば、モータ等に用いられるコイルボビン装置及び電磁駆動装置に関する。
【背景技術】
【０００２】
従来から、一対のコイルボビンのツバから突出する一対の端子片を互いに組み合うように組み立てられたコイルボビン装置が知られている（特許文献１参照）。
【先行技術文献】
【特許文献】
【０００３】
【特許文献１】特開２００６−２７８４６４号公報
【発明の概要】
【発明が解決しようとする課題】
【０００４】
上述した従来のコイルボビン装置では、ツバから突出して設けられた一対の端子片にフレキシブルプリント板などの外部配線を接続した構成とするため、その端子部分に荷重（外力）がかかり、端子部がツバから折れ易い構造になっている。
【０００５】
特に、小型のコイルボビン装置では、コイルボビンの厚みを極限まで薄くする場合があり、その場合には端子部も折れやすくなるため、装置の小型化の障害となっていた。
【０００６】
本発明は、端子部分の機械的強度を向上したコイルボビン装置及び電磁駆動装置を提供する。
【課題を解決するための手段】
【０００７】
本発明のコイルボビン装置は、端部外周に鍔部を有する筒状胴体にコイルが巻回されてなる一対のコイルボビンと、前記一対のコイルボビンの前記鍔部からそれぞれ凸状に突出する一対の端子部とを備え、前記一対のコイルボビンは、互いに前記一対の端子部同士が噛み合うように組み立てられ、前記一対の端子部同士が相互に噛み合う部分の対向する端面が傾斜面又は段差面であることを特徴とする。このような本発明の態様によれば、一対の端子部同士が相互に傾斜面又は段差面で噛み合うため、端子接続時やその後の物理的衝撃などで端子部分に荷重（応力）が加わっても各端子部が折れ難く、例えば、電気的接続部分の信頼性、あるいは耐久性を向上できる。
【０００８】
なお、本発明は、上記コイルボビン装置を備えたモータ等の電磁駆動装置も広く対象とする。これにより、電気的な接続部分において高い信頼性を有する電磁駆動装置を実現できる。
【発明の効果】
【０００９】
本発明によれば、端子部分の機械的強度を向上したコイルボビン装置及び電磁駆動装置を実現することができる。
【図面の簡単な説明】
【００１０】
【図１】本発明の一実施形態に係るコイルボビン装置の概略側面図及び斜視図。
【図２】本発明の他の実施形態に係るコイルボビン装置の概略側面図及び斜視図。
【図３】本発明の他の実施形態に係るコイルボビン装置の概略側面図。
【発明を実施するための形態】
【００１１】
以下、本発明を実施形態に基づいて詳細に説明する。
図１には、本発明の一実施形態に係るコイルボビン装置の概略側面図及び斜視図を示す。
図１に示すように、本実施形態のコイルボビン装置１０は、一対のコイルボビン１１を組み合わせて構成される。各コイルボビン１１は、筒状胴体１２と、この筒状胴体１２の両端部外周に沿って外側に突出して設けられた鍔部（ツバ部）１３とを備える。
【００１２】
なお、筒状胴体１２の内部、すなわち、筒状胴体１２を貫通する貫通孔１２ａには、コイルボビン装置１０が組み立てられた状態で、モータなどに組み込まれる段階で不図示のステータヨークないしマグネットロータの軸が挿入される。
【００１３】
また、各コイルボビン１１は、両端部のうち一方側の端部側にある鍔部１３から凸状に突出して設けられた一対の端子部１４を有する。そして、このようなコイルボビン装置１０は、各コイルボビン１１の筒状胴体１２に対してコイル１５が巻回されてコイル両端が一対の端子部１４に電気的に接続される。なお、この一対の端子部１４には、図示しないが外部からフレキシブルプリント配線板などの電気的接続が行なわれる。
【００１４】
ここで、本実施形態のコイルボビン装置１０では、各コイルボビン１１の鍔部１３から一対の端子部１４が独立して凹凸状に突出しており、各コイルボビン１１を一対の端子部１４側が対向するようにし、一対の端子部１４同士が交互配置されるように噛みあわせて組み立てられる。
【００１５】
すなわち、一対のコイルボビン１１は、互いに一対の端子部１４同士が噛み合うように組み立てられる。これにより、一対の端子部１４間には、他方の一対の端子部１４の一方が挿入されることになる。
【００１６】
そして、本実施形態では、一対の端子部１４同士が相互に噛み合う部分において、対向する端面が傾斜面（テーパ面）１４ａとして設けられている。
【００１７】
例えば、本実施形態では、各端子部１４の突出形状が、根元の幅が広く先端ほど幅が狭く形成され、全体として台形形状となっている。
【００１８】
これにより、各端子部１４は、隣り合う端子部１４の端面１４ａと面接触し、相互に噛み合った状態となる。なお、本実施形態では、各一対の端子部１４が噛み合った状態において、各端子部１４の先端部は対向する一対の端子部１４間の基部に当接する。
【００１９】
このように、本実施形態では、一対の端子部１４同士を傾斜面１４ａで当接させた状態で噛み合うため、構造的に機械的強度が向上されることから、外部からの端子接続時やその後の物理的衝撃などで各端子部分に荷重（応力）が加わっても各端子部１４が折れ難く、例えば、電気的接続部分の信頼性、あるいは耐久性を向上できる。また、このように各端子部１４の強度が向上することから、各端子部１４の寸法を小さくしてコイルボビン装置１０の小型化を図ることができる。
【００２０】
（他の実施形態）
以上、本発明を一実施形態に基づいて詳細に説明したが、本発明は上述した一実施形態に限定されるものではない。
【００２１】
上述した一実施形態では、一対の端子部１４同士を傾斜面１４ａで当接させて噛み合せた構造について説明したが、本発明は勿論これに限定されず、例えば、図２に示すように、一対の端子部１４を段差面１４ｂで噛み合せたコイルボビン装置１０Ａとしてもよい。
【００２２】
また、上述した一実施形態では、各端子部１４の先端部は対向する一対の端子部１４間の基部に当接した構造を例示して説明したが、本発明は勿論これに限定されず、例えば、図３に示すように、各端子部１４が鍔部１３を超えてコイル巻回部分に延設されるようにして噛み合せる構造としてもよい。このとき、各端子部１４間の当接面は、傾斜面１４ａでも段差面１４ｂでもかまわない。
【図１】
2016058557.tif 000003
【図２】
2016058557.tif 000004
【図３】
2016058557.tif 000005